(57)【要約】      （修正有）【課題】トイレ用洗浄剤溶出容器を簡易に包装できる上、リサイクルし易い包装体を提供する。【解決手段】トイレ用洗浄剤溶出容器の包装体１０は、自立可能な本体部２と、本体部２の上に被せられる蓋部４と、を有し、本体部２と蓋部４の内部に形成された収納空間に、トイレ用洗浄剤溶出容器９が収納されており、本体部２が、下方に凹んだ本体凹み部２３を有する本体天壁２１と、本体天壁２１の周縁から下方に延設された本体周側壁２２と、を有し、蓋部４が、蓋天壁４１と、蓋天壁４１の周縁から下方に延設された蓋周側壁４２と、を有し、蓋周側壁４２の下方を本体周側壁２２の上方に嵌め合わすことにより、蓋部４が本体部２に被せられている。さらに、前記本体部２と蓋部４の間には、中子部３が介在されている。【選択図】図２
2009286400.tif 000002
【特許請求の範囲】
【請求項１】
洗浄剤と前記洗浄剤を載置可能な受け皿と前記受け皿の上に被せられるカバーとを有するトイレ用洗浄剤溶出容器と、前記トイレ用洗浄剤溶出容器を包装する合成樹脂製の包装ケースと、を備え、
前記包装ケースは、自立可能な本体部と、前記本体部の上に被せられる蓋部と、を有し、前記本体部と蓋部の内部に形成された収納空間に、前記トイレ用洗浄剤溶出容器が収納されており、
前記本体部が、下方に凹んだ本体凹み部を有する本体天壁と、前記本体天壁の周縁から下方に延設された本体周側壁と、を有し、
前記蓋部が、蓋天壁と、前記蓋天壁の周縁から下方に延設された蓋周側壁と、を有し、
前記蓋周側壁の下方を前記本体周側壁の上方に嵌め合わすことにより、前記蓋部が前記本体部に被せられていることを特徴とするトイレ用洗浄剤溶出容器の包装体。
【請求項２】
さらに、前記包装ケースは、前記本体部と前記蓋部の間に介在され、且つ前記収納空間を２つに区画する中子部を有し、
前記中子部と本体部の本体凹み部の間に、下方収納空間が形成され、且つ、前記中子部と蓋部の間に、上方収納空間が形成されており、
前記下方収納空間に、前記トイレ用洗浄剤溶出容器の洗浄剤と受け皿が収納され、前記上方収納空間に、前記トイレ用洗浄剤溶出容器のカバーが収納されており、
前記蓋部の蓋天壁には、下方に凹んだ蓋凹み部が形成されており、
前記上方収納空間に収納されたカバーが、前記中子部の上面と蓋凹み部の間に挟持されている請求項１に記載のトイレ用洗浄剤溶出容器の包装体。
【請求項３】
前記本体部の本体凹み部の下方部が、前記蓋部の蓋凹み部に挿入可能な形状に形成されている請求項２に記載のトイレ用洗浄剤溶出容器の包装体。
【発明の詳細な説明】
【技術分野】
【０００１】
本発明は、トイレ用洗浄剤溶出容器を包装ケースによって包装したトイレ用洗浄剤溶出容器の包装体に関する。
【背景技術】
【０００２】
従来、洗浄剤と、洗浄剤を載置可能な受け皿と、受け皿の上に被せられるカバーと、を有するトイレ用洗浄剤溶出容器が知られている（特許文献１）。
上記洗浄剤、受け皿及びカバーは、別個独立した部材であり、使用に際して、受け皿の上に洗浄剤を載せ、その上にカバーを被せることにより、トイレ用洗浄剤溶出容器が組み立てられる。
該トイレ用洗浄剤溶出容器は、受け皿の下面に垂下している垂下片をトイレタンクの流入口に挿入することにより、トイレに設置される。
【０００３】
上記トイレ用洗浄剤溶出容器は、搬送・陳列時には、洗浄剤、受け皿及びカバーを分離した状態で包装ケースに包装されている。
従来、かかる溶出容器を包装する包装ケース１００は、図２０及び図２１に示すようなものが知られている。
該包装ケース１００は、トイレ用洗浄剤溶出容器９００を保持する保持箱１０１であって紙を組み立てた保持箱１０１と、該保持箱１０１を覆う透明ケース１０２であって合成樹脂製シートを直方体状に組み立てた透明ケース１０２と、該透明ケース１０２を覆う外箱１０３であって紙を組み立てた外箱１０３と、を有する。
【０００４】
保持箱１０１は、例えば、洗浄剤などを保持する保持部１０１１と、該保持部１０１１の一部に突出されたヘッダー部１０１２と、を有する。該保持部１０１１は、中空状に形成され、保持部１０１１の天壁には、孔が形成されている。該保持部１０１１内に、トイレ用洗浄剤溶出容器９００の洗浄剤９０１及び受け皿９０２を収納し、保持部１０１１の孔に、カバー９０３の下方部を嵌入することにより、洗浄剤９０１、受け皿９０２及びカバー９０３が、分離した状態で保持箱１０１に保持されている。
この保持箱１０１を、透明ケース１０２内に入れ、更に、透明ケース１０２を外箱１０３内に入れることにより、図２１に示すような、トイレ用洗浄剤溶出容器の包装体１１０が構成されている。
【特許文献１】実開平４−１２２７７７号公報
【発明の開示】
【発明が解決しようとする課題】
【０００５】
しかしながら、上記包装ケース１００は、保持箱１０１、透明ケース１０２及び外箱１０３を箱状に組み立てた後、保持箱１０１にトイレ用洗浄剤溶出容器９００を保持し、更に、これを透明ケース１０２内に入れた後、外箱１０３内に入れなければならないので、包装ケース１００の組み立て作業が非常に煩雑である。
また、保持箱１０１及び外箱１０３が紙製であり、透明ケース１０２が合成樹脂製であるため、トイレ用洗浄剤溶出容器９００を取り出した後、包装ケース１００をリサイクルする際に、保持箱１０１と透明ケース１０２を分別しなければならない。
さらに、上記包装体１１０は、２段以上に積み重ねて陳列した場合、上段の包装体が位置ずれを起こし、荷崩れする虞がある。
【０００６】
本発明の第１の課題は、トイレ用洗浄剤溶出容器を簡易に包装できる上、リサイクルし易いトイレ用洗浄剤溶出容器の包装体を提供することである。
本発明の第２の課題は、多段状に積み重ねたときに荷崩れを起こし難いトイレ用洗浄剤溶出容器の包装体を提供することである。
【課題を解決するための手段】
【０００７】
本発明のトイレ用洗浄剤溶出容器の包装体は、洗浄剤と前記洗浄剤を載置可能な受け皿と前記受け皿の上に被せられるカバーとを有するトイレ用洗浄剤溶出容器と、前記トイレ用洗浄剤溶出容器を包装する合成樹脂製の包装ケースと、を備え、前記包装ケースは、自立可能な本体部と、前記本体部の上に被せられる蓋部と、を有し、前記本体部と蓋部の内部に形成された収納空間に、前記トイレ用洗浄剤溶出容器が収納されており、前記本体部が、下方に凹んだ本体凹み部を有する本体天壁と、前記本体天壁の周縁から下方に延設された本体周側壁と、を有し、前記蓋部が、蓋天壁と、前記蓋天壁の周縁から下方に延設された蓋周側壁と、を有し、前記蓋周側壁の下方を前記本体周側壁の上方に嵌め合わすことにより、前記蓋部が前記本体部に被せられていることを特徴とする。
【０００８】
上記本発明のトイレ用洗浄剤溶出容器の包装体は、本体部と蓋部とを有する包装ケースが合成樹脂から形成されているので、本体部と蓋部をそれぞれ分別せずにリサイクルに供することができる。
また、上記包装体は、包装ケースの本体部にトイレ用洗浄剤溶出容器を載せ、この上から蓋部を被せ、蓋周側壁の下方を本体周側壁の上方に嵌め合わすことによって構成できる。従って、包装ケースを用いて、トイレ用洗浄剤溶出容器を簡易に包装することができる。
【０００９】
本発明の好ましい包装体は、さらに、前記包装ケースが、前記本体部と前記蓋部の間に介在され、且つ前記収納空間を２つに区画する中子部を有し、前記中子部と本体部の本体凹み部の間に、下方収納空間が形成され、且つ、前記中子部と蓋部の間に、上方収納空間が形成されており、前記下方収納空間に、前記トイレ用洗浄剤溶出容器の洗浄剤と受け皿が収納され、前記上方収納空間に、前記トイレ用洗浄剤溶出容器のカバーが収納されており、前記蓋部の蓋天壁には、下方に凹んだ蓋凹み部が形成されており、前記上方収納空間に収納されたカバーが、前記中子部の上面と蓋凹み部の間に挟持されている。
【００１０】
上記好ましい包装体は、収納空間が中子部を介して下方収納空間と上方収納空間に区画され、下方収納空間にトイレ用洗浄剤溶出容器の洗浄剤と受け皿が収納され、且つ上方収納空間にカバーが収納されているので、カバーと洗浄剤及び受け皿とを別々に収納することができる。
さらに、収納されたカバーは、中子部と蓋凹み部の間に挟持されているので、包装体の搬送時、カバーが上方収納空間内において動くことを防止できる。
このため、本発明によれば、カバーが所定位置に収納保持された包装体を提供できる。かかる包装体は、例えば陶器製などのような壊れ易い材質で形成されているカバーを収納する場合に好適である。
【００１１】
本発明の他の好ましい包装体は、前記本体部の本体凹み部の下方部が、前記蓋部の蓋凹み部に挿入可能な形状に形成されている。
【００１２】
上記他の好ましい包装体は、本体凹み部の下方部が蓋凹み部に挿入可能な形状であるため、包装体を多段状に積み重ねるときに、下段の包装体の蓋凹み部に上段の包装体の本体凹み部の下方部を挿入して積み重ねることができる。このように蓋凹み部に下方部を挿入することにより、上段の包装体が水平方向に位置ずれすることを防止できる。このため、本発明によれば、多段状に積み重ねたときに荷崩れを生じ難い包装体を提供できる。
【発明の効果】
【００１３】
本発明に係るトイレ用洗浄剤溶出容器の包装体は、トイレ用洗浄剤溶出容器を簡易に包装できる上、包装ケースのリサイクルも容易に行える。さらに、本発明の好ましいトイレ用洗浄剤溶出容器の包装体は、トイレ用洗浄剤溶出容器のカバーの位置ずれや破損を防止できる。
さらに、本発明の好ましいトイレ用洗浄剤溶出容器の包装体は、荷崩れを起こすことなく、多段状に積み重ねることができる。
【発明を実施するための最良の形態】
【００１４】
以下、本発明について、図面を参照しつつ具体的に説明する。
図１〜図３に於いて、１０は、合成樹脂製の包装ケース１と、前記包装ケース１内に収納されたトイレ用洗浄剤溶出容器９と、を有するトイレ用洗浄剤溶出容器の包装体を示す。
尚、方向を示す用語として、「上」及び「下」は、包装ケースを自立させた状態に於ける上下方向（天地方向）をいう。
【００１５】
トイレ用洗浄剤溶出容器９は、公知のものであり、洗浄剤９１と、前記洗浄剤９１を載置可能な受け皿９２と、前記受け皿９２の上に被せられるカバー９３と、を有する。
洗浄剤９１は、一面開口型のプラスチック容器９１１内に洗浄剤本体９１２が収納され、該プラスチック容器９１１の開口部に、剥離可能なシート状蓋９１３が接着されている。洗浄剤本体９１２は、通常、固形状であるが、液状でも構わない。
【００１６】
受け皿９２は、前記洗浄剤９１を載置する皿部９２１と、該皿部９２１の下面から垂下された垂下片９２２と、を有する。該垂下片９２２は、トイレタンクの流入口に挿入する部分である。
カバー９３は、下面に開口部９３１を有し、且つ内部に空洞部９３２を有するドーム型に形成されている。カバー９３の材質は、特に限定されないが、例えば、陶器製、ガラス製などのカバー９３が挙げられる。本発明の包装ケース１は、カバー９３を動かないように収納保持できるので、壊れやすい材質から形成されたカバー９３（例えば、陶器製及び／又はガラス製のカバー）であっても良好に包装できる。
【００１７】
上記トイレ用洗浄剤溶出容器９は、洗浄剤９１、受け皿９２及びカバー９３が独立しており、使用に際して、それらは組み立てられる（図１９参照）。
具体的には、シート状蓋９１３を剥離し、プラスチック容器９１１から取り出した洗浄剤本体９１２を受け皿９２の皿部９２１に載せ、この洗浄剤本体９１２が空洞部９３２内に収まるようにカバー９３を被せ、カバー９３の下方部を受け皿９２に嵌合させることによって、トイレ用洗浄剤溶出容器９が組み立てられる。該トイレ用洗浄剤溶出容器９は、受け皿９２の垂下片９２２をトイレタンクの流入口に差し込んで使用される。
【００１８】
次に、上記包装ケース１は、自立可能な本体部２と、前記本体部２の上に被せられる蓋部４と、前記本体部２と蓋部４の間に介在された中子部３と、を有する。
【００１９】
本体部２は、図４〜図６にも示すように、下方に凹んだ本体凹み部２３を有する本体天壁２１と、本体天壁２１の周縁から下方に延設された本体周側壁２２と、を有する。
本実施形態では、本体天壁２１は、平面視略矩形状に形成されている。本体凹み部２３は、本体天壁２１の略中央部に形成されている。該本体凹み部２３は、主としてトイレ用洗浄剤溶出容器９の受け皿９２を収納するための凹みである。
本体凹み部２３には、上方から下方に向かって順に、第１段部２３１、第２段部２３２及び第３段部２３３が形成されている。この第２段部２３２に、トイレ用洗浄剤溶出容器９の受け皿９２の垂下片９２２を下方に向けた状態で、受け皿９２の縁部が載せられて保持されている。
【００２０】
また、本体凹み部２３（第１段部２３１〜第３段部２３３を含む）の平面形状は、円形状であるが、本体凹み部２３の下方部２３５については、平面視非円形状（例えば、平面視略矩形状など）に形成されている。
該本体凹み部２３の下方部２３５は、包装体１０を多段状に積み重ねるときに、下方の包装体１０の蓋部４の蓋凹み部４３に挿入する部分となる。
【００２１】
本体周側壁２２は、本体天壁２１の周囲からスカート状（上方から下方に向かうに従って僅かに拡がった形状）に延設されている。平面視略矩形状の本体天壁２１から延設された本体周側壁２２は、矩形筒状に形成されている。本体周側壁２２の下方は開放されており、本体周側壁２２の下端は、蓋部４の蓋天壁４１の周縁よりも僅かに大きい平面視略矩形状である。
また、本体周側壁２２の上方外面には、蓋部４の蓋周側壁４２の下端が当たる位置決め段部２２１が形成されている。
また、本体周側壁２２の下端は、本体凹み部２３の下方部２３５の下面よりも僅かに下方に延出されている。従って、本体部２は、本体周側壁２２の下端を載置面に載置して自立させることができる。
本体周側壁２２の外面には、内側へ凹み且つ上下方向に延びるリブ２２２が複数本形成されている。このリブ２２２は、主として本体周側壁２２の強度を向上させるために形成された凹みである。
【００２２】
また、本体周側壁２２の外面には、部分的に内側へ凹んだ陥没部２２３が形成されている。この陥没部２２３は、例えば、本体周側壁２２の４つのコーナー部分にそれぞれ形成されている。この陥没部２２３は、主としてオーバーラップフィルムを係合させるための凹みである。
【００２３】
次に、中子部３は、図７〜図９にも示すように、本体部２の本体天壁２１の上面周縁部に接する鍔部３１と、前記鍔部３１の中央部において下方に凹んだ中子凹み部３２と、前記中子凹み部３２の中央部において上方に突設された凸部３３と、を有する。
中子部３は、その鍔部３１を本体天壁２１の上面周縁部に載せることにより、本体部２の上に被せられている。
凸部３３は、中子部３を本体部２に被せたときに、本体凹み部２３に対して対向するような位置に形成されている。
中子部３を本体部２に被せることにより、中子部３の凸部３３と本体部２の本体凹み部２３の間に、下方収納空間が形成される。この下方収納空間に、トイレ用洗浄剤溶出容器９の受け皿９２と洗浄剤９１が収納されている。具体的には、本体凹み部２３内に受け皿９２が収納され、該受け皿９２の上に洗浄剤９１が載置され、その洗浄剤９１を凸部３３内に収納するように、中子部３が本体部２に被せられている。中子部３を介在させることにより、カバー９３と、洗浄剤９１及び受け皿９２とが接触することを防止できる。
【００２４】
蓋部４は、図１０〜図１２にも示すように、下方に凹んだ蓋凹み部４３を有する蓋天壁４１と、蓋天壁４１の周縁から下方に延設された蓋周側壁４２と、を有する。
蓋天壁４１は、平面視略矩形状に形成されている。蓋凹み部４３は、蓋天壁４１の略中央部に形成されている。該蓋凹み部４３は、トイレ用洗浄剤溶出容器９のカバー９３を挟持するための凹みであると共に、複数の包装体１０を多段状に積み重ねたときに挿入部分となるための凹みである。
蓋凹み部４３は、蓋部４を本体部２に被せたときに、本体凹み部２３に対向するような位置に形成されている。
【００２５】
また、蓋凹み部４３の平面形状は、平面視非円形状に形成されている。
好ましくは、蓋凹み部４３は、本体凹み部２３の下方部２３５が嵌合し得る形状に形成されている。例えば、本体凹み部２３の下方部２３５が平面視略矩形状に形成されている場合、蓋凹み部４３は、この形状に合致するような、平面視略矩形状に形成されていることが好ましい。このように蓋凹み部４３と本体凹み部２３の下方部２３５が嵌合し得る形状であれば、包装体１０を多段状に積み重ねたときに、上段の包装体１０が上下方向の軸周りに回転することを防止できる。
【００２６】
蓋周側壁４２は、蓋天壁４１の周囲からスカート状（上方から下方に向かうに従って僅かに拡がった形状）に延設されている。平面視略矩形状の蓋天壁４１から延設された蓋周側壁４２は、矩形筒状に形成されている。また、蓋周側壁４２の下端部には、本体部２の段部２２１に当接しうるフランジ部４２１が形成されている。
さらに、蓋周側壁４２のコーナー部の下方内面は、内側へ僅かに突出している部分４２５を有する。この部分４２５が本体周側壁２２のコーナー部の上方内面に形成された非常に浅い凹部に嵌り込むことにより、被せた蓋部４が本体部２から外れにくくなっている。
【００２７】
さらに、蓋周側壁４２の外面には、上下方向に延びるリブ４２２が複数本形成されている。このリブ４２２は、主として蓋周側壁４２の強度を向上させるために形成された凸部である。
また、蓋周側壁４２の外面には、部分的に内側へ凹んだ陥没部４２３が形成されている。この陥没部４２３は、例えば、蓋周側壁４２の４つのコーナー部分にそれぞれ形成されている。この陥没部４２３は、主としてオーバーラップフィルムを係合させるための凹みである。
【００２８】
蓋周側壁４２の下方内面を本体周側壁２２の上方外面に嵌め合わすことにより、前記中子部３が被せられた本体部２の上に、蓋部４が被せられている。蓋周側壁４２の外面と本体周側壁２２の外面は、ほぼ平面状に連なった連続面となっている。
被せられた蓋部４と中子部３の間には、上方収納空間が形成される。この上方収納空間に、トイレ用洗浄剤溶出容器９のカバー９３が収納されている。具体的には、中子部３の凸部３３に、トイレ用洗浄剤溶出容器９のカバー９３の空洞部９３２が嵌入され、このカバー９３の上方を覆うように蓋部４が被せられている。トイレ用洗浄剤溶出容器９のカバー９３の下方部は、中子部３の中子凹み部３２と鍔部３１の境界に存する段部分３１１，３１１の上面に接している（図７において、カバー９３の下方部が接する部分を、網掛けで示す）。また、該カバー９３の上面は、被せられた蓋部４の蓋凹み部４３の下面に接している。従って、カバー９３は、中子部３と蓋部４の蓋凹み部４３の間に挟持されている。
【００２９】
上記本体部２、中子部３及び蓋部４は、合成樹脂で形成されている。好ましくは、本体部２、中子部３及び蓋部４は、合成樹脂製シート材から形成されている。該本体部２、中子部３及び蓋部４の形成方法としては、例えば、合成樹脂製シート材を用いたシート成型法が挙げられる。
合成樹脂製シート材としては、従来公知のものを使用でき、例えば、ポリプロピレンやポリエチレンなどのポリオレフィン系、ポリスチレン系、ポリエステル系などの汎用樹脂製シートなどが挙げられる。シート材の厚みは、特に限定されないが、０．３〜１ｍｍ程度が好ましい。
また、収納したトイレ用洗浄剤溶出容器９を外部から透視できるようにするため、合成樹脂製シート材は、無色透明または有色透明なシートを用いることが好ましい。
【００３０】
上記トイレ用洗浄剤溶出容器用の包装体１０は、次のようにして組み立てられる。
本体部２の本体凹み部２３内に、トイレ用洗浄剤溶出容器９の受け皿９２を入れ、更に、その受け皿９２の皿部９２１の上に洗浄剤９１を載せた後、該洗浄剤９１が凸部３３の下面内に収まるように中子部３を被せる。該中子部３の凸部３３の上面にトイレ用洗浄剤溶出容器９のカバー９３を嵌め入れた後、蓋部４を被せる。
【００３１】
このように本発明の包装ケース１を用いれば、洗浄剤９１及び受け皿９２とカバー９３とを、中子部３を介して上下の収納空間に個別に収納できる上、トイレ用洗浄剤溶出容器９の包装作業も簡易に行える。
本発明の包装体１０は、中子部３を介して、トイレ用洗浄剤溶出容器９のカバー９３と、洗浄剤９１及び受け皿９２とが別々に収納されているため、包装体１０を開封したときには、これらが別々に取り出される。従って、使用者が、洗浄剤９１のシート状蓋９１３を剥離することを忘れることなく、プラスチック容器９１１から洗浄剤本体９１２を取り出し、受け皿９２の上に載置してトイレ用洗浄剤溶出容器９を組み立てる。すなわち、包装ケース１内に、トイレ用洗浄剤溶出容器９が仮組み立て状態（受け皿９２の上に洗浄剤９１（シート状蓋９１３が接着された洗浄剤９１）が載置され且つこの受け皿９２にカバー９３の下方部が嵌合された状態）で収納されていると、使用者は、この仮組み立て状態のままで、これをトイレタンクに設置するという誤使用を行う虞がある。この点、本発明の包装体１０によれば、このような誤使用を防止できる。
さらに、中子部３、蓋部４、及び／又は本体部２などに、「トイレ用洗浄剤溶出容器を組み立てるときには、洗浄剤本体を取り出して下さい」などの注意書きを設けてもよい。かかる注意書きを設けることによって、上記誤使用をより確実に防止できる。この注意書きを設ける手段としては、中子部３などに注意書きを直接印刷する、注意書きを印刷したタックラベルを中子部３などに貼り付ける、注意書きを印刷した紙を包装ケース１内に入れる、などが挙げられる。
【００３２】
また、カバー９３は、中子部３と蓋部４の間に挟持されているので、包装体１０の搬送時に、カバー９３のぐらつきを防止できる。特に、陶器製やガラス製のカバー９３は、衝撃によって破損し易いが、本発明の包装体１０によれば、該カバー９３が破損することを防止できる。
【００３３】
さらに、上記包装体１０の外側には、オーバーラップフィルム６を装着してもよい。
オーバーラップフィルム６は、例えば、図１３に示すように、本体部２と蓋部４の接合部分７を含んで包装体１０の外面に装着される。
該オーバーラップフィルム６は、例えば、熱収縮性を有する筒状のフィルムで構成されている。該熱収縮性の筒状フィルムは、所定温度（例えば、８０〜１００℃）で周方向に大きく熱収縮しうる筒状フィルムである。該フィルムの厚みは、通常、２０〜５０μｍ程度である。このオーバーラップフィルム６は、透明なフィルムが好ましいが、必要に応じて、各種の意匠印刷が施されていてもよい。
オーバーラップフィルム６が熱収縮装着されていることにより、蓋部４が不用意に本体部２から外れることを防止できる。
【００３４】
また、本体部２及び蓋部４には、それぞれ陥没部２２３，４２３が形成されているので、熱収縮したオーバーラップフィルム６の一部分が、陥没部２２３，４２３側へ僅かに凹む。このため、オーバーラップフィルム６が、陥没部２２３，４２３において係止され、筒状のオーバーラップフィルム６が、包装体１０から抜け出ることを防止できる。
【００３５】
また、上記オーバーラップフィルム６を装着することに代えて、本体部２と蓋部４の接合部分７に跨るように、本体部２と蓋部４の外面に粘着ラベルを貼り付けてもよい（図示せず）。該粘着ラベルを貼り付けた場合でも、蓋部４が不用意に本体部２から外れることを防止できる。
【００３６】
さらに、本発明の包装体１０は、その複数個を多段状に積み重ねることもできる。この場合、図１４に示すように、下段の包装体１０’の蓋部４の蓋凹み部４３の上面に、上段の包装体１０”の本体部２の本体凹み部２３の下方部２３５を挿入することが好ましい。このように上段の包装体１０”の蓋凹み部４３と下段の包装体１０’の本体凹み部２３の下方部２３５を挿入することにより、上段の包装体１０”が水平方向に位置ずれすることを防止できる。このため、多段状に積み重ねた複数個の包装体１０が荷崩れし難くなる。
また、蓋凹み部４３と本体凹み部２３の下方部２３５が、互いに嵌合し得る非円形状（例えば、平面視略矩形状）に形成されているので、上段の包装体１０”が上下方向の軸周りに回転することを防止できる。このため、正面を揃えて多段状に積み重ねた包装体１０の向きが変化し難くなる。
【００３７】
さらに、本体周側壁２２の下方は開放され、且つ該本体周側壁２２の下端は蓋部４の蓋天壁４１の周縁よりも僅かに大きいので、上段の包装体１０”の本体周側壁２２の下端が下段の包装体１０’の蓋部４に接触しない。このため、下段の包装体１０’の蓋凹み部４３の上面に、上段の包装体１０”の下方部２３５を確実に嵌合させた状態で、複数個の包装体１０を積み重ねることができる。
【００３８】
本発明の包装体１０は、上記実施形態のものに限られず、様々な態様に変更することができる。
例えば、上記実施形態において、本体部２の本体天壁２１及び本体周側壁２２は、平面視略矩形状に形成されているが、この形状に限られず、平面視円形状、楕円形状などに形成されていてもよい。なお、この場合、蓋周側壁４２の下方内面を本体周側壁２２の上方外面に嵌め合わせるために、蓋部４の蓋周側壁４２の平面視形状は、本体周側壁２２の形状に対応して平面視円形状、楕円形状などに形成される。
【００３９】
さらに、上記実施形態において、本体部２の本体凹み部２３の下方部２３５は、平面視略矩形状に形成されているが、この形状に限られず、平面視楕円形状、三角形状、五角形状、星形状などの非円形状に形成されていてもよい。なお、この場合、蓋部４の蓋凹み部４３の平面視形状は、前記本体凹み部２３の下方部２３５に嵌合するように、該下方部２３５の形状に対応して平面視楕円形状、三角形状、五角形状、星形状などの非円形状に形成されていていることが好ましい。
また、本体部２の本体凹み部２３の下方部２３５及び蓋部４の蓋凹み部４３の平面視略矩形状は、円形状に形成されていてもよい。この場合、蓋凹み部４３に本体凹み部２３を挿入して複数個の包装体１０を積み重ねると、包装体１０が上下方向の軸周りに回転する虞があるが、該包装体１０の水平方向への位置ずれは防止できる。
【００４０】
また、本発明の包装ケース１は、中子部３の形状を変えることにより、上記実施形態とは形状の異なるトイレ用洗浄剤溶出容器９を収納することができる。
図１５及び図１６は、上記実施形態とは形状の異なる、第１の他の実施形態に係る中子部３を示す。該中子部３は、本体部２の本体天壁２１の上面周縁部に接する鍔部３１と、前記鍔部３１の周囲から下方に延設された中子周側壁３４と、前記鍔部３１の中央部において上方に突設された凸部３３と、前記凸部３３の下方部において下方に凹んだ平面視三日月状の一対の中子凹み部３２，３２と、を有する。この他の実施形態に係る中子部３は、その鍔部３１を本体天壁２１の上面周縁部に載せると共に、その中子周側壁３４の内面を本体周側壁２２の上方外面に嵌め合わすことにより、本体部２に被せられる。この被せられた中子部３の中子周側壁３４の外面に蓋部４の蓋周側壁４２の下方内面を嵌め合わすことにより、蓋部２が本体部２に被せられる。
【００４１】
図１７及び図１８は、上記実施形態とは形状の異なる、第２の他の実施形態に係る中子部３を示す。該中子部３は、本体部２の本体天壁２１の上面周縁部に接する鍔部３１と、前記鍔部３１の周囲から下方に延設された中子周側壁３４と、前記鍔部３１の中央部において上方に突設された凸部３３と、前記凸部３３の下方部において下方に凹んだ平面視三日月状の一対の中子凹み部３２，３２と、を有する。この第２の他の実施形態に係る中子部３は、その中子凹み部３２の深さが非常に浅く形成されていることを除いて、上記第２の他の実施形態に係る中子部３と略同様である。
【図面の簡単な説明】
【００４２】
【図１】本発明のトイレ用洗浄剤溶出容器の包装体の１つの実施形態を示す正面図。
【図２】図１のＩＩ−ＩＩ線断面図。
【図３】同分解正面図。
【図４】本体部の１つの実施形態を示す平面図。
【図５】図４のＶ−Ｖ線断面図。
【図６】同正面図。
【図７】中子部の１つの実施形態を示す平面図。
【図８】図７のＶＩＩＩ−ＶＩＩＩ線断面図。
【図９】同正面図。
【図１０】蓋部の１つの実施形態を示す平面図。
【図１１】図１０のＸＩ−ＸＩ線断面図。
【図１２】同正面図。
【図１３】オーバーラップフィルムが装着された本発明の包装体を示す正面図。
【図１４】多段状に積み重ねられた本発明の包装体を示す断面図。
【図１５】中子部の他の実施形態を示す平面図。
【図１６】図１５のＸＶＩ−ＸＶＩ線断面図。
【図１７】中子部の更に他の実施形態を示す平面図。
【図１８】図１７のＸＶＩＩＩ−ＸＶＩＩＩ線断面図。
【図１９】トイレ用洗浄剤溶出容器を使用するときに、該容器を組み立てた状態を示す断面図。
【図２０】従来のトイレ用洗浄剤溶出容器の包装体を示す分解斜視図。
【図２１】同斜視図。
【符号の説明】
【００４３】
１…包装ケース、２…本体部、２１…本体天壁、２２…本体周側壁、２３…本体凹み部、３…中子部、４…蓋部、４１…蓋天壁、４２…蓋周側壁、４３…蓋凹み部、６…オーバーラップフィルム、９…トイレ用洗浄剤溶出容器、９１…洗浄剤、９２…受け皿、９３…カバー、１０…トイレ用洗浄剤溶出容器の包装体
【図１】
2009286400.tif 000003
【図２】
2009286400.tif 000004
【図３】
2009286400.tif 000005
【図４】
2009286400.tif 000006
【図５】
2009286400.tif 000007
【図６】
2009286400.tif 000008
【図７】
2009286400.tif 000009
【図８】
2009286400.tif 000010
【図９】
2009286400.tif 000011
【図１０】
2009286400.tif 000012
【図１１】
2009286400.tif 000013
【図１２】
2009286400.tif 000014
【図１３】
2009286400.tif 000015
【図１４】
2009286400.tif 000016
【図１５】
2009286400.tif 000017
【図１６】
2009286400.tif 000018
【図１７】
2009286400.tif 000019
【図１８】
2009286400.tif 000020
【図１９】
2009286400.tif 000021
【図２０】
2009286400.tif 000022
【図２１】
2009286400.tif 000023